(57)【要約】【課題】  好条件の基地局を適切に選択できる無線ＬＡＮ基地局選択方法、および無線ＬＡＮ端末局を提供する。【解決手段】  複数のＡＰ（無線ＬＡＮ基地局）１２の通信エリアに重複して属するＳＴＡ（無線ＬＡＮ端末局）１１に対して、複数のＡＰ１２の中から、ＳＴＡ１１と接続すべきＡＰ１２を選択するものであって、ＡＰ１２からＳＴＡ１１に送信された信号の電界強度および通信品質に基づいて接続すべきＡＰを選択する。これにより、好条件のＡＰを適切に選択できる。【選択図】          図１
2005244721.tif 000002
【特許請求の範囲】
【請求項１】
複数の無線ＬＡＮ基地局の通信エリアに重複して属する無線ＬＡＮ端末局に対して、前記複数の無線ＬＡＮ基地局の中から、前記無線ＬＡＮ端末局と接続すべき無線ＬＡＮ基地局を選択する無線ＬＡＮ基地局選択方法であって、
前記無線ＬＡＮ基地局から前記無線ＬＡＮ端末局に送信された信号の電界強度および通信品質に基づいて、前記接続すべき無線ＬＡＮ基地局を選択することを特徴とする無線ＬＡＮ基地局選択方法。
【請求項２】
前記無線ＬＡＮ基地局から前記無線ＬＡＮ端末局に送信された信号の通信品質を、ビーコン信号を受信できた頻度に基づいて算出することを特徴とする請求項１記載の無線ＬＡＮ基地局選択方法。
【請求項３】
前記無線ＬＡＮ基地局から前記無線ＬＡＮ端末局に送信された信号の電界強度および通信品質が、それぞれ複数に区分されて形成された数値エリアのいずれに含まれるかに基づいて、前記接続すべき無線ＬＡＮ基地局を選択することを特徴とする請求項１記載の無線ＬＡＮ基地局選択方法。
【請求項４】
前記電界強度の区分数は、通信品質の区分数よりも多いことを特徴とする請求項３記載の無線ＬＡＮ基地局選択方法。
【請求項５】
前記無線ＬＡＮ基地局のアソシエーション許容残台数に基づいて、前記接続すべき無線ＬＡＮ基地局を選択することを特徴とする請求項１記載の無線ＬＡＮ基地局選択方法。
【請求項６】
前記無線ＬＡＮ基地局は、アソシエーション許容残台数をビーコン信号に含めて無線ＬＡＮ端末局に報知することを特徴とする請求項５記載の無線ＬＡＮ基地局選択方法。
【請求項７】
前記無線ＬＡＮ端末局に付されたＥＳＳＩＤ、前記無線ＬＡＮ端末局に使用可能なチャネルを設定したチャネル設定、前記接続すべき無線ＬＡＮ基地局として特定の無線ＬＡＮ基地局を予め制限して設定した接続制限設定、優先的に選択されるべき無線ＬＡＮ基地局を予め設定した優先接続設定、または前記接続すべき無線ＬＡＮ基地局として前回接続した無線ＬＡＮ基地局を設定した前回接続保持設定に基づいて、前記接続すべき無線ＬＡＮ基地局を選択することを特徴とする請求項１〜６のうちのいずれか１項に記載の無線ＬＡＮ基地局選択方法。
【請求項８】
複数の無線ＬＡＮ基地局の通信エリアに重複して属し、前記複数の無線ＬＡＮ基地局の中から、接続すべき無線ＬＡＮ基地局を選択する無線ＬＡＮ端末局であって、
前記無線ＬＡＮ基地局から送信された信号の電界強度および通信品質に基づいて、前記接続すべき無線ＬＡＮ基地局を選択することを特徴とする無線ＬＡＮ端末局。
【発明の詳細な説明】
【技術分野】
【０００１】
本発明は、無線ＬＡＮシステムにおいて複数の基地局から端末局の通信相手とすべき基地局を選択する無線ＬＡＮ基地局選択方法、および基地局の選択を行う無線ＬＡＮ端末局に関するものである。
【背景技術】
【０００２】
従来の無線ＬＡＮシステムでは、複数の基地局から送信されるビーコン信号の通信品質を端末局で測定して、この測定した通信品質に基づいて基地局を選択している（特許文献１参照）。
【０００３】
また、無線ＬＡＮシステムではないが、一般の無線通信システムとして、複数の基地局から受信した信号の電界強度を端末局で測定し、この測定した電界強度に基づいて基地局を選択するものがある（特許文献２参照）。
【０００４】
この他、測定したトラヒック量に基づいて基地局を選択する無線ＬＡＮシステムがある（特許文献３参照）。
【０００５】
【特許文献１】特開２００３−６０６５７号公報（図７、段落００３２〜００３４）
【特許文献２】特開平０７−１６２９３６号公報（図３、段落０００９）
【特許文献３】特開２００３−６０６６３号公報（図１、段落００２５〜００２９）
【発明の開示】
【発明が解決しようとする課題】
【０００６】
しかしながら、特許文献１のように、ビーコン信号の通信品質に基づいて基地局を選択すると、ビーコン信号が一時的に遮断されるだけの場合、たとえば端末局との間を車両が通過したような基地局は、以後の通信品質が良好な状態が継続するにも関らず選択されないこととなり、不都合である。
【０００７】
一方、特許文献２のように、電界強度に基づいて基地局を選択すると、基地局から端末局へ送信される信号が断続的に遮断される場合、たとえば端末局との間に立つ樹木が風で揺れるような基地局は、以後の通信品質が断続的に不良となるにも関らず、一時的に電界強度が強くなったために選択されることがあり、不都合である。
【０００８】
本発明の目的は、好条件の基地局を適切に選択できる無線ＬＡＮ基地局選択方法、および無線ＬＡＮ端末局を提供することである。
【課題を解決するための手段】
【０００９】
本発明の無線ＬＡＮ基地局選択方法は、複数の無線ＬＡＮ基地局の通信エリアに重複して属する無線ＬＡＮ端末局に対して、前記複数の無線ＬＡＮ基地局の中から、前記無線ＬＡＮ端末局と接続すべき無線ＬＡＮ基地局を選択するものであって、前記無線ＬＡＮ基地局から前記無線ＬＡＮ端末局に送信された信号の電界強度および通信品質に基づいて、前記接続すべき無線ＬＡＮ基地局を選択することを特徴とする。
【００１０】
また、本発明の無線ＬＡＮ端末局は、複数の無線ＬＡＮ基地局の通信エリアに重複して属し、前記複数の無線ＬＡＮ基地局の中から接続すべき無線ＬＡＮ基地局を選択する無線ＬＡＮ端末局であって、前記無線ＬＡＮ基地局から、送信された信号の電界強度および通信品質に基づいて、前記接続すべき無線ＬＡＮ基地局を選択することを特徴とする。
【発明の効果】
【００１１】
本発明の無線ＬＡＮ基地局選択方法および無線ＬＡＮ端末局では、通信品質と電界強度との両方に基づいて基地局を選択するため、好条件の基地局を適切に選択することができる。
【発明を実施するための最良の形態】
【００１２】
実施の形態１．
図１は、本発明の実施の形態１に係る無線ＬＡＮシステムの構成を示す図である。無線ＬＡＮシステム１０は、ステーション（Station；ＳＴＡ；無線ＬＡＮ端末局）１１、アクセスポイント（Access Point；ＡＰ；無線ＬＡＮ基地局）１２、および有線ネットワーク１３から構成されたシステムであって、ＳＴＡ１１が固定設置される固定無線アクセスシステムに適用される。
【００１３】
ＳＴＡ１１は、ＡＰ１２との間で無線信号を送受信するとともに、屋外に固定設置され屋内配線を介して信号を送受信する無線ＬＡＮの固定端末局である。ＡＰ１２は、通信エリア内にいるＳＴＡ１１との間で無線信号を送受信するとともに、上位装置との間で有線ネットワーク１３を介して有線信号を送受信する無線ＬＡＮの基地局である。有線ネットワーク１３は、光ファイバ網等で構成され、複数のＡＰ１２と上位装置（不図示）とを接続するための有線通信媒体である。
【００１４】
なお、ＳＴＡ１１を固定端末局とした固定無線アクセスシステムに適用したものを説明したが、この無線ＬＡＮシステム１０はＳＴＡ１１を移動式とした移動体通信システムにも適用可能である。
【００１５】
図２は、ＳＴＡおよびＡＰの構成を示すブロック図である。
【００１６】
ＳＴＡ１１は、有線送受信部２１、信号処理部２２、無線送受信部２３、データベース２４、およびアンテナ２５を備えている。有線送受信部２１は、屋内配線を介して有線信号の送受信を行う。信号処理部２２は、有線送受信部２１と無線送受信部２３との間で各種の信号処理を行う。無線送受信部２３は、ベースバンド信号から無線信号への変換および逆変換を行う。データベース２４は、周辺のＡＰ１２に関する情報、およびＳＴＡ１１自身に関する情報を記憶するための記憶媒体である。アンテナ２５は、ＡＰ１２との間で無線送受信を行うためのアンテナである。
【００１７】
ＡＰ１２は、アンテナ３１、無線送受信部３２、信号処理部３３、有線送受信部３４、およびデータベース３５を備えている。アンテナ３１は、ＳＴＡ１１との間で無線送受信を行うためのアンテナである。無線送受信部３２は、無線信号からベースバンド信号への変換および逆変換を行う。信号処理部３３は、無線送受信部３２と有線送受信部３４との間で各種の信号処理を行う。有線送受信部３４は、外部の有線ネットワークを介して送受信を行う。データベース３５は、通信エリア内にいるＳＴＡ１１に関する情報、およびＡＰ１２自身に関する情報を記憶する記憶媒体である。
【００１８】
図３は、ＳＴＡおよびＡＰ保有の各データベースを示す図である。
【００１９】
ＳＴＡ保有のデータベース２４は、キャリアセンスによって検出またはＡＰ１２からのビーコン信号により報知されたＡＰ１２に関する情報をＡＰ１２毎に記憶している。ＡＰ１２に関する情報は、ＡＰ１２の各ＭＡＣ（Media Access Control；媒体アクセス制御）アドレス、ＡＰ１２から受信した信号の電界強度を示すＲＳＳＩ（Received Signal Strength Indicator）値、ＡＰ１２から受信した信号の通信品質を示すＰＥＲ（Packet Error Rate）値、およびＡＰ１２とのアソシエーション（接続）確立の有無を含む。たとえば、ＡＰ＃１について、ＲＳＳＩ値＝−８０ｄＢｍ、ＰＥＲ値＝３０％、アソシエーション確立＝有である。データベース２４は、この他、ＳＴＡ自身に関する情報として、ＳＴＡ自身のＭＡＣアドレスを記憶している。
【００２０】
ここで、ＲＳＳＩ値は、ＳＴＡがＡＰから受信したビーコン信号の受信電界強度値（実測値）である。また、一般に、一定時間あたりに受信できなかったビーコン信号の数とＰＥＲとがほぼ同一であると見なすことができることから、ＰＥＲ値を次のように定義する。ただし、ＳＴＡのスキャン時間をビーコン周期のＮ倍（例：Ｎ＝１０）とし、スキャン時間中にビーコン信号の受信に成功した回数をＭ回（Ｍ≦Ｎ）とする。スキャン時間は、ＳＴＡがチャネルスキャンを行うための時間である。
ＰＥＲ＝１００×（Ｎ−Ｍ）／Ｎ    （％）
【００２１】
ＡＰ保有のデータベース３５は、周辺ＳＴＡの情報としてアソシエーションを確立したＳＴＡのＭＡＣアドレスを記憶している。たとえば、ＡＰがＳＴＡ＃１〜＃３との間でアソシエーションを確立している場合、ＳＴＡ＃１〜＃３のＭＡＣアドレスを全て記憶している。また、データベース３５は、ＡＰ自身の情報として、ＡＰ自身のＭＡＣアドレスおよびアソシエーション許容残台数を記憶している。
【００２２】
図４は、アソシエーション確立のシーケンスを示す図である。ＳＴＡは、ＡＰから定期的に送信されてくるビーコン信号を受信して、必要に応じデータベース２４を更新する。たとえば、ＡＰ＃１からのビーコン信号を受信すると（ステップａ１）、データベース２４に記憶しているＡＰ＃１に関する情報に内容変更があれば記憶内容を更新し（ステップａ２）、続いてＡＰ＃２からのビーコン信号を受信すると（ステップａ３）、データベース２４に記憶しているＡＰ＃２に関する情報に内容変更があれば同様に記憶内容を更新する（ステップａ４）。このように、ＡＰからのビーコン信号を受信することで、データベース２４の記憶内容を最新のものに更新する。
【００２３】
ＳＴＡ１１をＡＰ１２に接続して通信する必要が生じた場合、ＳＴＡ１１は、最新のデータベース２４に基づいてＡＰ選択処理を実行する（ステップａ５）。この選択処理によって接続すべきＡＰ１２を、たとえばＡＰ＃１に決定すると、ＡＰ＃１に向けてアソシエーション要求信号をＡＰ＃１に送信する（ステップａ６）。アソシエーション要求信号を受信したＡＰ＃１は、データベース３５に記憶されたアソシエーション許容残台数を確認し、許容できる場合は、アソシエーション応答信号をＳＴＡ１１に返信し（ステップａ７）、データベース３５の記憶内容を更新する（ステップａ８）。具体的には、データベース３５の記憶内容のうち、ＳＴＡ１１を新規に記憶するとともに、アソシエーション許容残台数を１台減ずる。一方、アソシエーション応答信号を受信したＳＴＡ１１は、データベース２４を更新する（ステップａ９）。具体的には、データベース２４のうちＡＰ＃１のアソシエーション確立を「無」から「有」に更新する。
【００２４】
図４の選択処理（ステップａ５）は、具体的には、図５に示す選択基準テーブル（ＡＰ選択基準例１）または図６に示す選択基準テーブル（ＡＰ選択基準例２）を基準にして実行される。
【００２５】
図５は、ＡＰ選択基準例１を示す図である。図５の選択基準テーブルは、ＲＳＳＩ値を３段階に、ＰＥＲ値を３段階にそれぞれ区分したものである。各区分エリア内に表示された数字は、各エリアの優先順位を示している。優先順位の高いＡＰを優先的に選択し、同一エリアに複数のＡＰが含まれる場合はＲＳＳＩ値の大きいＡＰを選択する。各優先順位に対応するエリアのＲＳＳＩ値とＰＥＲ値との範囲は次の通りである。
【００２６】
優先順位１位：  −５２ｄＢｍ≦ＲＳＳＩ、ＰＥＲ≦４０％
優先順位２位：  −８２ｄＢｍ≦ＲＳＳＩ＜−５２ｄＢｍ、ＰＥＲ≦４０％
優先順位３位：  −５２ｄＢｍ≦ＲＳＳＩ、４０％＜ＰＥＲ≦８０％
優先順位４位：  −８２ｄＢｍ≦ＲＳＳＩ＜−５２ｄＢｍ、
４０％＜ＰＥＲ≦８０％
優先順位５位：  −５２ｄＢｍ≦ＲＳＳＩ、８０％＜ＰＥＲ
優先順位６位：  −８２ｄＢｍ≦ＲＳＳＩ＜−５２ｄＢｍ、８０％＜ＰＥＲ
優先順位７位：  ＲＳＳＩ＜−８２ｄＢｍ、ＰＥＲ≦４０％
優先順位８位：  ＲＳＳＩ＜−８２ｄＢｍ、４０％＜ＰＥＲ≦８０％
優先順位９位：  ＲＳＳＩ＜−８２ｄＢｍ、８０％＜ＰＥＲ
このように、ＲＳＳＩ値とＰＥＲ値との両方に基づいてＡＰを選択するため、好条件のＡＰを適切に選択することができる。
【００２７】
なお、図５の選択基準テーブルにおいて、区分エリアを決定するＲＳＳＩ値およびＰＥＲ値の各閾値は任意に変更可能である。また、図５の選択基準テーブルにおいて、最上位のＡＰでも優先順位が７〜９であった場合に、ＳＴＡが選択できるＡＰが無かったと判定し、チャネルスキャンを繰り返すような運用も可能である。
【００２８】
図６は、基地局選択の判定基準例２を示す図である。図６の選択基準テーブルは、ＲＳＳＩ値を３段階に、ＰＥＲ値を２段階にそれぞれ区分したものである。各区分エリア内に表示された数字は、各エリアの優先順位を示している。各優先順位に対応するエリアのＲＳＳＩ値とＰＥＲ値との範囲は次の通りである。
【００２９】
優先順位１位：  −５４ｄＢｍ≦ＲＳＳＩ、ＰＥＲ≦６０％
優先順位２位：  −６２ｄＢｍ≦ＲＳＳＩ＜−５４ｄＢｍ、ＰＥＲ≦６０％
優先順位３位：  ＲＳＳＩ＜−６２ｄＢｍ、ＰＥＲ≦６０％
優先順位４位：  −５４ｄＢｍ≦ＲＳＳＩ、６０％＜ＰＥＲ
優先順位５位：  −６２ｄＢｍ≦ＲＳＳＩ＜−５４ｄＢｍ、６０％＜ＰＥＲ
優先順位６位：  ＲＳＳＩ＜−６２ｄＢｍ、６０％＜ＰＥＲ
図５では、ＲＳＳＩ値およびＰＥＲ値をそれぞれ同数の３段階に区分したが、図６では、ＰＥＲ値をＲＳＳＩ値よりも少ない２段階とすることにより、実フィールドにおいて、より適切にＡＰを選択することができる。つまり、無線通信の実フィールドでは、ＰＥＲ値のばらつきがＲＳＳＩ値のばらつきに比べて大きいため、ＲＳＳＩ値を重視して多く区分しＰＥＲ値を足切り条件程度として扱うことによって、より適切なＡＰ選択が可能となる。
【００３０】
実施の形態２．
本発明の実施の形態２は、実施の形態１に加えて、ＡＰ保有のデータベース３５に図７記載のものを、ＳＴＡ保有のデータベース２４に図８記載のものを記憶し、図９に示すＡＰ選択処理フローに従ってＡＰ選択を行うものである。実施の形態１と同一構成については同一符号を付して説明を省略し、実施の形態１と相違する構成および処理について説明する。
【００３１】
図７は、本発明の実施の形態２に係るＡＰ保有のデータベースを示す図である。データベース３５は、実施の形態１で記憶していた情報の他に、ＡＰ自身の情報としてＥＳＳＩＤ（Extended Service Set Identifier）を記憶している。ＥＳＳＩＤは、１つのＳＴＡと１つのＡＰとで構成されるＢＳＳ（Basic Service Set）を拡張したＥＳＳに対して付された識別符号であって、一般に通信事業者毎あるいは通信事業者が提供するサービス毎に付されるものである。
【００３２】
図８は、ＳＴＡ保有のデータベースを示す図である。データベース２４は、実施の形態１で記憶していた情報の他に、周辺ＡＰの情報としてＥＳＳＩＤおよびアソシエーション許容残台数を、ＳＴＡ自身の情報としてＥＳＳＩＤ、チャネル設定、接続制限設定、優先接続設定、および前回接続保持設定をそれぞれ記憶している。
【００３３】
アソシエーション許容残台数は、物理的制限によりアソシエーション確立を許容できるＳＴＡ台数がＡＰ毎に決まっている許容台数から、その時にアソシエーションを確立しているＳＴＡ台数を減じた台数のことである。ビーコン信号によってＡＰからＳＴＡに報知する情報（ビーコン周期またはＥＳＳＩＤ等）が、ＩＥＥＥ８０２．１１に規定されているが、アソシエーション許容残台数は報知情報として規定されていない。そこで、アソシエーション許容残台数については、ビーコン信号の報知情報のうち情報要素ＩＤ（識別符号）が「予約」になっているものを使って報知することができる。
【００３４】
チャネル設定とは、ＳＴＡ毎に使用可能なチャネルを予め設定しておくものであり、たとえば周波数Ｆ１、Ｆ２、Ｆ３（例：各５０４０、５０６０、５０８０ＭＨｚ）にそれぞれ対応した無線チャネルから１以上の使用可能なチャネルを設定することができる。
【００３５】
接続制限設定とは、特定のＡＰに必ずアソシエーションするＳＴＡの設定のことである。接続制限ＡＰの指定はＡＰ固有のＭＡＣアドレスで行う。このような設定は、試験時等、アソシエーション許容残台数などの条件に依らず、特定のＡＰにアソシエーションさせたい場合に対応した設定である。なお、この接続制限設定は、試験時等にのみ使用できるように、接続制限のＯＮまたはＯＦＦが行えるようにするのが望ましい。
【００３６】
優先接続設定とは、特定のＡＰを優先してアソシエーションするＳＴＡの設定である。
【００３７】
前回選択保持設定とは、ＳＴＡの再起動時に前回接続したＡＰを継続して保持する設定である。この前回選択保持設定は、上記の接続制限設定と同じく、ＯＮまたはＯＦＦが行えるようにするのが望ましい。また、前回選択保持設定およびそのＯＮ／ＯＦＦは、フラッシュＲＯＭ等のＳＴＡ再起動時に消失しない不揮発性メモリに記憶しておく必要がある。
【００３８】
図９は、信号処理部によるＡＰ選択処理フローを示す図である。ＡＰ選択処理を開始すると、まず、ステップＳ１において、チャネル設定で設定された無線チャネルを対象としてチャネルスキャンを実行する。
【００３９】
続いて、ステップＳ２において、ＳＴＡが保有するものとＥＳＳＩＤが一致するＡＰが存在するか否かを判断する。存在する場合のみ、ステップＳ３以降の処理に進む。
【００４０】
続いて、ステップＳ３、Ｓ４において、接続制限設定が存在するか否かを判断する。設定された特定のＡＰが見つからない場合は、ステップＳ１に戻り、チャネルスキャンを繰り返す。
【００４１】
続いて、ステップＳ５において、アソシエーション許容残台数が０か否かを判断する。アソシエーション許容残台数＝０のＡＰが存在する場合は、ステップＳ６において、ステップＳ７以降の候補ＡＰから当該ＡＰを除外し、除外した場合に候補となるＡＰが有るか否かを判断する。候補ＡＰが残っている場合は、次のステップＳ７に進み、候補ＡＰが残っていない場合は、ステップＳ１に戻って、チャネルスキャンを繰り返す。
【００４２】
続いて、ステップＳ７、Ｓ８において、優先接続設定が存在するか否かを判断する。優先ＡＰとして設定された特定のＡＰが候補ＡＰに含まれていた場合、ＳＴＡはステップＳ９以降の処理を行わずに、優先接続設定のＡＰを選択する。優先ＡＰが候補ＡＰに含まれていない場合、ステップＳ９に進む。
【００４３】
続いて、ステップＳ９において、前回選択保持設定が存在するか否かを判断する。前回選択保持設定が存在する場合は、ステップＳ１０に進み、存在しない場合は、ステップＳ１１に進む。ステップＳ１０では、前回接続ＡＰが候補ＡＰに残っているか否かを判断し、残っている場合は当該ＡＰを選択し、残っていない場合は、ステップＳ１１に進む。
【００４４】
続いて、ステップＳ１１において、実施の形態１と同じく、図５または図６の選択基準テーブルに基づく判断を行い、選択基準テーブルで最も優先順位の高い区分に候補ＡＰが１つ存在するか否かを判断する。１つ存在する場合は、当該ＡＰを選択し、複数存在する場合は、ステップＳ１２に進む。
【００４５】
続いて、ステップＳ１２において、アソシエーション許容残台数の最も多いＡＰを選択する。アソシエーション許容残台数が同じＡＰが複数あり、かつその台数が候補ＡＰのうち最大数である場合は、ステップＳ１３に進む。
【００４６】
続いて、ステップＳ１３において、最終的に候補として残った１つのＡＰの選択を行う。前段のステップＳ１２で複数のＡＰが候補として残った場合は、ＲＳＳＩ値が最大となるＡＰを選択する。
【００４７】
このように、ＲＳＳＩ値およびＰＥＲ値の他、各種設定をも加味してＡＰ選択を行うので、より適切なＡＰを選択することが可能である。
【図面の簡単な説明】
【００４８】
【図１】本発明の実施の形態１に係る無線ＬＡＮシステムの構成を示す図である。
【図２】ＳＴＡおよびＡＰの構成を示すブロック図である。
【図３】ＳＴＡおよびＡＰ保有の各データベースを示す図である。
【図４】アソシエーション確立のシーケンスを示す図である。
【図５】ＡＰ選択基準例１を示す図である。
【図６】基地局選択の判定基準例２を示す図である。
【図７】本発明の実施の形態２に係るＡＰ保有のデータベースを示す図である。
【図８】ＳＴＡ保有のデータベースを示す図である。
【図９】信号処理部によるＡＰ選択処理フローを示す図である。
【符号の説明】
【００４９】
１０  無線ＬＡＮシステム
１１  ＳＴＡ（端末局）
１２  ＡＰ（基地局）
１３  有線ネットワーク
２１，３４  有線送受信部
２２，３３  信号処理部
２３，３２  無線送受信部
２４，３５  データベース
２５，３１  アンテナ
【図１】
2005244721.tif 000003
【図２】
2005244721.tif 000004
【図３】
2005244721.tif 000005
【図４】
2005244721.tif 000006
【図５】
2005244721.tif 000007
【図６】
2005244721.tif 000008
【図７】
2005244721.tif 000009
【図８】
2005244721.tif 000010
【図９】
2005244721.tif 000011